(57)【要約】【課題】プロジェクタにおける表示むらを低減する。【解決手段】取り込む口７１０をフレーム６１０の一の側面に設けることにとって、図中Ｙ方向に沿って実装ケース６０１内に冷却用流体が流動する流路が形成される。実装ケース６０１内の流路を流動する冷却用流体は、液晶パネル５００から熱エネルギーを奪う。したがって、プロジェクタ１１００の動作時における液晶パネル５００の温度上昇が抑制され、液晶ライトバルブ１００Ｇによって変調される緑色光の色むらに起因する表示むらを低減できる。【選択図】図８
2007304393.tif 000002
【特許請求の範囲】
【請求項１】
赤色用電気光学パネル及び前記赤色用電気光学パネルを収容する第１ケース部を有し、
光源光に含まれる赤色光を変調する赤色用電気光学パネルモジュールと、
緑色用電気光学パネル及び前記緑色用電気光学パネルを収容する第２ケース部を有し、
前記光源光に含まれる緑色光を変調する緑色用電気光学パネルモジュールと、
青色用電気光学パネル及び前記青色用電気光学パネルを収容する第３ケース部を有し、
前記光源光に含まれる青色光を変調する青色用電気光学パネルモジュールと、
前記赤色用電気光学パネル、前記緑色用電気光学パネル及び前記青色用電気光学パネル
の夫々から出射された変調光を合成する光合成光学系とを備え、
前記第２ケース部の形状は、前記第１ケース部及び前記第３ケース部の少なくとも一方
のケース部の形状と異なっていること
を特徴とするプロジェクタ。
【請求項２】
前記第２ケース部は、放熱用のフィンを備えたこと
を特徴とする請求項１に記載のプロジェクタ。
【請求項３】
前記第２ケース部は、冷却用流体を前記第２ケース部内に取り込むための取り込み口を
備えたこと
を特徴とする請求項１又は２に記載のプロジェクタ。
【請求項４】
前記冷却用流体は、液体であること
を特徴とする請求項３に記載のプロジェクタ。
【請求項５】
前記冷却用流体は、気体であること
を特徴とする請求項３に記載のプロジェクタ。
【請求項６】
赤色用電気光学パネル及び前記赤色用電気光学パネルを収容する第１ケース部を有し、
光源光に含まれる赤色光を変調する赤色用電気光学パネルモジュールと、
緑色用電気光学パネル及び前記緑色用電気光学パネルを収容する第２ケース部を有し、
前記光源光に含まれる緑色光を変調する緑色用電気光学パネルモジュールと、
青色用電気光学パネル及び前記青色用電気光学パネルを収容する第３ケース部を有し、
前記光源光に含まれる青色光を変調する青色用電気光学パネルモジュールと、
前記赤色用電気光学パネル、前記緑色用電気光学パネル及び前記青色用電気光学パネル
の夫々から出射された変調光を合成する光合成光学系とを備え、
前記第２ケース部を構成する材質は、前記第１ケース部及び前記第３ケース部の少なく
とも一方のケース部を構成する材質と異なっていること
を特徴とするプロジェクタ。
【請求項７】
前記第２ケース部は、金属材料で形成されたフレーム部を備え、前記少なくとも一方の
ケース部は樹脂で形成されたフレーム部を備えたこと
を特徴とする請求項６に記載のプロジェクタ。
【請求項８】
前記第２ケース部は、金属材料で形成されたカバー部を備え、前記少なくとも一方のケ
ース部は樹脂で形成されたカバー部を備えたこと
を特徴とする請求項６又は７に記載のプロジェクタ。
【請求項９】
前記第２ケース部に設けられたペルチェ素子を備えたこと
を特徴とする請求項１から８の何れか一項に記載のプロジェクタ。
【発明の詳細な説明】
【技術分野】
【０００１】
本発明は、例えば赤色光、緑色光及び青色光の夫々を変調する３枚の液晶ライトバルブ
が用いられてなる複板式カラー液晶プロジェクタ等のプロジェクタの技術分野に関する。
【背景技術】
【０００２】
この種の電気光学装置に用いられる液晶パネルでは、相対向するように配置された一対
の基板間に液晶層を封止し、液晶層の駆動によって画像表示が行われる表示領域が形成さ
れる。液晶パネルが液晶プロジェクタ等のライトバルブとして用いられる際には、機器の
筐体、ケーシング或いはフレーム等にいわば裸の状態で設置されるのではなく、通常、適
当な実装ケースに実装乃至収容した上で設置される。液晶パネル等の電気光学パネルを実
装ケースに収容するのは、第１義的には、当該実装ケースに適当なねじ孔等を設けておく
ことで、電気光学パネルの筐体等に対する固定、取り付け或いは光学的な位置決めを容易
に実施できるからである。
【０００３】
このような液晶ライトバルブには、スクリーン上に拡大投射を行うために、強力な光源
光が光源から集光された状態で入射する。このように強力な光源光が入射すると、液晶パ
ネルの温度は上昇し、液晶パネル内において一対の透明基板間に挟持されている液晶の温
度も上昇して、該液晶の特性劣化を招く。特に、光源光に含まれる赤色光、緑色光及び青
色光のうち緑色光を変調する緑色用液晶ライトバルブは、赤色光及び青色光の夫々を変調
する液晶ライトバルブに比べて液晶の透過率にむらが発生し易く、緑色用ライトバルブの
透過率のむらに応じて、スクリーンに表示された画像に色むらが発生する問題点がある。
このような問題点を解決するための手段の一例として、緑色用液晶ライトバルブに設置さ
れる防塵ガラスを、他の液晶ライトバルブに設けられる防塵ガラスに比べて温度上昇が小
さい材料を用いることによって、緑色用液晶ライトバルブによって変調された変調光に起
因する色むらを低減する技術が提案されている（例えば、特許文献１参照。）。
【０００４】
【特許文献１】特開２００２−２６８１３５号公報
【発明の開示】
【発明が解決しようとする課題】
【０００５】
しかしながら、特許文献１に開示された技術によれば、液晶ライトバルブの温度上昇に
伴う色むらを低減するには十分ではなく、液晶ライトバルブの温度上昇を抑制する観点か
ら見て液晶ライトバルブの構成を根本的に見直すことが、表示画像の色むらを低減する上
で重要である。
【０００６】
ここで、赤色光、緑色光、及び青色光の夫々の色光を変調する３つの液晶ライトバルブ
全てについて、例えば実装ケースを熱伝導率に優れた金属等の高熱伝導率材料で形成する
ことも考えられるが、液晶プロジェクタのコスト増大を招いてしまう問題点がある。
【０００７】
よって、本発明は、例えば上述した問題点等に鑑みなされたものであり、表示画像の色
むらを低減し、且つ色むらを低減することによって増大するプロジェクタのコストの増加
分を極力抑制できる液晶プロジェクタ等のプロジェクタを提供することを課題とする。
【課題を解決するための手段】
【０００８】
本発明の第１の発明に係るプロジェクタは上記課題を解決するために、赤色用電気光学
パネル及び前記赤色用電気光学パネルを収容する第１ケース部を有し、光源光に含まれる
赤色光を変調する赤色用電気光学パネルモジュールと、緑色用電気光学パネル及び前記緑
色用電気光学パネルを収容する第２ケース部を有し、前記光源光に含まれる緑色光を変調
する緑色用電気光学パネルモジュールと、青色用電気光学パネル及び前記青色用電気光学
パネルを収容する第３ケース部を有し、前記光源光に含まれる青色光を変調する青色用電
気光学パネルモジュールと、前記赤色用電気光学パネル、前記緑色用電気光学パネル及び
前記青色用電気光学パネルの夫々から出射された変調光を合成する光合成光学系とを備え
、前記第２ケース部の形状は、前記第１ケース部及び前記第３ケース部の少なくとも一方
のケース部の形状と異なっている。
【０００９】
本発明の第１の発明に係るプロジェクタによれば、赤色用電気光学パネルモジュール、
緑色用電気光学パネルモジュール及び青色用電気光学パネルモジュールからなる３枚の電
気光学パネルモジュールを液晶ライトバルブとして用いた複板式カラープロジェクタを構
築できる。液晶ライトバルブとして用いられる赤色用電気光学パネルモジュール、緑色用
電気光学パネルモジュール及び青色用電気光学パネルモジュールの夫々は、光源光に含ま
れる赤色光、緑色光及び青色光の夫々の色光を変調する。光合成光学系は、ダイクロイッ
クプリズム及び投射レンズを含んで構成されており、各電気光学パネルで変調された変調
光を合成し、画像を表示する。
【００１０】
本発明の第１の発明に係るプロジェクタによれば、第２ケース部の形状は、第１ケース
部及び第３ケース部の少なくとも一方のケース部の形状と異なっている。より具体的には
、緑色用電気光学パネルモジュールが有する第２ケース部の形状は、プロジェクタの動作
時に、例えば緑色用電気光学パネルの温度が６０乃至７０℃より低くなるように、赤色用
電気光学パネルモジュールが有する第１ケース部及び青色用電気光学パネルモジュールが
有する第３ケース部の夫々のケース部の形状と異なっている。即ち、第２ケース部の形状
は、第１ケース部及び第３ケース部の少なくとも一方のケース部に比べて、緑色用電気光
学パネル本体に蓄積される熱エネルギーを放熱する放熱性能が高められている。したがっ
て、本発明の第１の発明に係るプロジェクタによれば、緑色用電気光学パネルモジュール
から出射された変調光に起因して生じる色むらを低減できる。加えて、第２ケース部の形
状が、第１ケース部及び第３ケース部の少なくとも一方のケース部の形状と異なっている
ことによって、第１、第２及び第３のケース部の全ての形状を放熱性能に優れた形状に変
更する場合に比べて、プロジェクタのコスト増大を抑制できる。
【００１１】
尚、本発明の第１の発明に係るプロジェクタによれば、第２ケース部及び第３ケース部
の形状が同じであってもよい。このような場合、青色用電気光学パネル本体の温度上昇を
抑制できるため、青色光を変調した変調光に起因して生じる色むらも低減できる。また、
本発明の第１の発明に係るプロジェクタによれば、第１、第２及び第３ケース部の形状が
互いに異なっていてもよい。
【００１２】
以上、説明したように、本発明の第１の発明に係るプロジェクタによれば、赤色光、緑
色光及び青色光の夫々を変調してなる変調光のうち少なくとも緑色光を変調してなる変調
光に起因する色むらを低減できるため、スクリーンに表示される表示画像の画質を高める
ことが可能である。加えて、色むらを低減することによって増大するプロジェクタのコス
トの増大分を極力抑制できる。
【００１３】
本発明の第１の発明に係るプロジェクタの一の態様では、前記第２ケース部は、放熱用
のフィンを備えていてもよい。
【００１４】
この態様によれば、第２ケース部の表面積を他のケース部より増大させることができ、
第２ケース部から放熱される放熱量を増大させることが可能である。これにより、プロジ
ェクタの動作時における緑色用電気光学パネルモジュールの温度上昇を抑制できる。
【００１５】
本発明の第１の発明に係るプロジェクタの他の態様では、前記第２ケース部は、冷却用
流体を前記第２ケース部内に取り込むための取り込み口を備えていてもよい。
【００１６】
この態様によれば、取り込み口を介して第２ケース部内に取り込まれた冷却用流体によ
って第２ケース部から熱エネルギーを逃がすことが可能であり、第２ケース部に収容され
た緑色用電気光学パネルの温度上昇を抑制できる。特に、冷却用流体を第２ケース部内で
流動させることによって、緑色用電気光学パネルに蓄積される熱エネルギーが冷却用流体
に速やかに伝達され、緑色用電気光学パネルモジュールの温度上昇が効率よく抑制される
。この態様によれば、冷却用流体を、第２ケース部内と当該ケース部の外部との間で循環
させてもよい。
【００１７】
この態様では、前記冷却用流体は、液体であってもよい。
【００１８】
この態様によれば、例えば第２ケース部より熱伝導率が高い液体を流路部に流動させる
ことによって、第２ケース部から熱エネルギーが冷却用流体に伝達され、緑色用電気光学
パネルモジュールの温度上昇が抑制される。
【００１９】
本発明の第１の発明に係るプロジェクタの他の態様では、前記冷却用流体は、気体であ
ってもよい。
【００２０】
この態様によれば、例えば空気を取り込み口から第２ケース部内に取り込み、第２ケー
ス部内に収納された緑色用液晶パネルモジュールから直接熱エネルギーを空気に伝達させ
ることによって、緑色用電気光学パネルの温度上昇を抑制できる。加えて空気を用いるこ
とによって、別途冷却用媒体に要するコスト増大分を発生させることなく、緑色用電気光
学パネルモジュールの温度上昇を抑制できる。
【００２１】
本発明の第２の発明に係るプロジェクタは上記課題を解決するために、赤色用電気光学
パネル及び前記赤色用電気光学パネルを収容する第１ケース部を有し、光源光に含まれる
赤色光を変調する赤色用電気光学パネルモジュールと、緑色用電気光学パネル及び前記緑
色用電気光学パネルを収容する第２ケース部を有し、前記光源光に含まれる緑色光を変調
する緑色用電気光学パネルモジュールと、青色用電気光学パネル及び前記青色用電気光学
パネルを収容する第３ケース部を有し、前記光源光に含まれる青色光を変調する青色用電
気光学パネルモジュールと、前記赤色用電気光学パネル、前記緑色用電気光学パネル及び
前記青色用電気光学パネルの夫々から出射された変調光を合成する光合成光学系とを備え
、前記第２ケース部を構成する材質は、前記第１ケース部及び前記第３ケース部の少なく
とも一方のケース部を構成する材質と異なっている。
【００２２】
本発明の第２の発明に係るプロジェクタによれば、本発明の第２の発明に係るプロジェ
クタによれば、第２ケース部の材質は、第１ケース部及び第３ケース部の少なくとも一方
のケース部の材質と異なっている。より具体的には、緑色用電気光学パネルモジュールが
有する第２ケース部の材質は、プロジェクタの動作時に、例えば緑色用電気光学パネルの
温度が６０乃至７０℃より低くなるように、赤色用電気光学パネルモジュールが有する第
１ケース部及び青色用電気光学パネルモジュールが有する第３ケース部の夫々のケース部
の形材質より、熱伝導率の高い材質で形成されている。即ち、第２ケース部は、上述した
プロジェクタと同様に、第１ケース部及び第３ケース部の少なくとも一方のケース部に比
べて、緑色用電気光学パネル本体に蓄積される熱エネルギーを放熱する放熱性能が高めら
れている。したがって、本発明の第２の発明に係るプロジェクタによれば、緑色用電気光
学パネルから出射された変調光に起因して生じる色むらを低減できる。加えて、第２ケー
ス部の材質が、第１ケース部及び第３ケース部の少なくとも一方のケース部の材質と異な
っていることによって、第１、第２及び第３のケース部の全ての材質を放熱性能に優れた
材質に変更する場合に比べて、プロジェクタのコスト増大を抑制できる。
【００２３】
尚、本発明の第２の発明に係るプロジェクタによれば、第２ケース部及び第３ケース部
の材質が同じであってもよい。このような場合、青色用電気光学パネルの温度上昇を抑制
できるため、青色光を変調した変調光に起因して生じる色むらも低減できる。また、本発
明の第２の発明に係るプロジェクタによれば、第１、第２及び第３ケース部の夫々を構成
する材質が互いに異なっていてもよい。
【００２４】
以上、説明したように、本発明の第２の発明に係るプロジェクタによれば、赤色光、緑
色光及び青色光の夫々を変調してなる変調光のうち少なくとも緑色光を変調してなる変調
光に起因する色むらを低減できるため、スクリーンに表示される表示画像の画質を高める
ことが可能である。加えて、色むらを低減することによって増大するプロジェクタのコス
トの増大分を極力抑制できる。
【００２５】
本発明の第２の発明に係るプロジェクタの一の態様では、前記第２ケース部は、金属材
料で形成されたフレーム部を備え、前記少なくとも一方のケース部は樹脂で形成されたフ
レーム部を備えていてもよい。
【００２６】
この態様によれば、例えばフレーム部は、アルミダイカストのように熱伝導率が樹脂等
に比べて相対的に高い材質で構成されていてもよい。
【００２７】
本発明の第２の発明に係るプロジェクタの他の態様では、前記第２ケース部は、金属材
料で形成されたカバー部を備え、前記少なくとも一方のケース部は樹脂で形成されたカバ
ー部を備えていてもよい。
【００２８】
この態様によれば、電気光学パネルは、カバー部及びフレーム部からなる第２ケース部
内に収容されている。カバー部がアルミニウム等の金属材料で形成されていることによっ
て、第２ケース部の放熱特性が高められ、緑色用電気光学パネルモジュールの温度上昇を
抑制できる。
【００２９】
本発明の第１及び第２の発明に係るプロジェクタの他の態様では、前記第２ケース部に
設けられたペルチェ素子を備えていてもよい。
【００３０】
この態様によれば、例えばペルチェ素子の温度を−６０℃まで下げることが可能である
ため、ペルチェ素子を介して第２ケース部に蓄積された熱エネルギーを第２ケース部から
逃がすことが可能である。
【００３１】
本発明のこのような作用及び他の利得は次に説明する実施形態から明らかにされる。
【発明を実施するための最良の形態】
【００３２】
以下、図面を参照しながら本発明の第１及び第２の発明に係るプロジェクタの各実施形
態を説明する。
【００３３】
（第１実施形態）
＜１−１：プロジェクタの構成＞
先ず、図１を参照して、本発明の第１の発明の実施形態に係るプロジェクタの構成を説
明する。本実施形態に係るプロジェクタは投射型液晶装置であり、ここでは、その光学ユ
ニットに組み込まれている光学系を中心に説明する。図１は、プロジェクタの図式的断面
図である。本実施形態のプロジェクタは、本発明の第１の発明に係る「赤色用電気光学パ
ネルモジュール」、「緑色用電気光学パネルモジュール」及び「青色用電気光学パネルモ
ジュール」の夫々一例ある液晶ライトバルブが３枚一組で用いられてなる複板式カラープ
ロジェクタとして構築されている。
【００３４】
図１において、本実施形態における複板式カラープロジェクタの一例たる、液晶プロジ
ェクタ１１００は、駆動回路がＴＦＴアレイ基板上に搭載された電気光学装置を含む液晶
ライトバルブを３個用意し、夫々ＲＧＢ用の液晶ライトバルブ１００Ｒ、１００Ｇ及び１
００Ｂとして用いたプロジェクタとして構成されている。液晶プロジェクタ１１００では
、メタルハライドランプ等の白色光源のランプユニット１１０２から投射光が発せられる
と、３枚のミラー１１０６及び２枚のダイクロイックミラー１１０８によって、ＲＧＢの
３原色に対応する光成分Ｒ、Ｇ及びＢに分けられ、各色に対応する液晶ライトバルブ１０
０Ｒ、１００Ｇ及び１００Ｂに夫々導かれる。この際特にＢ光は、長い光路による光損失
を防ぐために、入射レンズ１１２２、リレーレンズ１１２３及び出射レンズ１１２４から
なるリレーレンズ系１１２１を介して導かれる。液晶ライトバルブ１００Ｒ、１００Ｇ及
び１００Ｂにより夫々変調された３原色に対応する光成分は、ダイクロイックプリズム１
１１２により再度合成された後、投射レンズ１１１４を介してスクリーンにカラー画像と
して投射される。ダイクロイックプリズム１１１２及び投射レンズ１１１４が、本発明の
第１の発明に係る「光合成光学系」の一例を構成している。
【００３５】
本実施形態の液晶ライトバルブ１００Ｒ、１００Ｇ及び１００Ｂは、例えば、後述の如
きＴＦＴをスイッチング素子として用いたアクティブマトリクス駆動方式の液晶パネルを
備えている。
【００３６】
このような液晶プロジェクタ１１００の駆動時には、強力な光源たるランプユニット１
１０２からの投射光により、液晶ライトバルブ１００において温度が上昇する。この際、
過度に温度が上昇すると、液晶ライトバルブ１００内の液晶が劣化したり、光源光のむら
による部分的な液晶パネルの加熱によるホットスポットの出現により透過率にムラが生じ
たりする。特に、緑色光を変調する液晶ライトバルブ１００Ｇが備える液晶パネルにおい
て、透過率のムラが顕著に生じる。
【００３７】
そこで、本実施形態では特に、液晶ライトバルブ１００Ｇを以下のように構成し、その
温度上昇を効率的に抑制する。
＜１−２：電気光学パネルの具体的な構成＞
（液晶パネルの構成）
次に、図２乃至図４を参照しながら、本実施形態に係るプロジェクタが備える電気光学
パネルモジュールの一例である液晶ライトバルブの具体的な構成を説明する。液晶ライト
バルブ１００は、液晶ライトバルブの本体である液晶パネルが実装ケースに収容されてな
る。液晶パネル１００は、上述した液晶プロジェクタ１１００における液晶ライトバルブ
１００Ｒ、１００Ｇ、１００Ｂの夫々の液晶パネルとして使用される。
【００３８】
図２及び図３を参照しながら、液晶パネルの具体的構成を説明する。ここでは、液晶パ
ネルの一例である駆動回路内蔵型のＴＦＴアクティブマトリクス駆動方式の液晶装置を例
に挙げる。図２は、ＴＦＴアレイ基板をその上に形成された各構成要素と共に対向基板の
側から見た液晶パネルの平面図であり、図３は、図２のＨ−Ｈ´断面図である。
【００３９】
図２及び図３において、液晶パネル５００では、ＴＦＴアレイ基板１０と対向基板２０
とが対向配置されている。ＴＦＴアレイ基板１０と対向基板２０との間に液晶層５０が封
入されており、ＴＦＴアレイ基板１０と対向基板２０とは、複数の画素が配置された画素
領域１０ａの周囲に位置するシール領域に設けられたシール材５２により相互に接着され
ている。
【００４０】
シール材５２は、両基板を貼り合わせるための、例えば紫外線硬化樹脂、熱硬化樹脂等
からなり、製造プロセスにおいてＴＦＴアレイ基板１０上に塗布された後、紫外線照射、
加熱等により硬化させられたものである。また、シール材５２中には、ＴＦＴアレイ基板
１０と対向基板２０との間隔（基板間ギャップ）を所定値とするためのグラスファイバ或
いはガラスビーズ等のギャップ材が散布されている。即ち、本実施形態の電気光学装置は
、プロジェクタのライトバルブ用として小型で拡大表示を行うのに適している。
【００４１】
シール材５２が配置されたシール領域の内側に並行して、画素領域１０ａの額縁領域を
規定する遮光性の額縁遮光膜５３が、対向基板２０側に設けられている。但し、このよう
な額縁遮光膜５３の一部又は全部は、ＴＦＴアレイ基板１０側に内蔵遮光膜として設けら
れてもよい。
【００４２】
画素領域１０ａの周辺に広がる周辺領域のうち、シール材５２が配置されたシール領域
の外側に位置する領域には、データ線駆動回路１０１及び外部回路接続端子１０２がＴＦ
Ｔアレイ基板１０の一辺に沿って設けられている。この一辺に沿ったシール領域よりも内
側に、サンプリング回路７が額縁遮光膜５３に覆われるようにして設けられている。また
、走査線駆動回路１０４は、この一辺に隣接する２辺に沿い、且つ、前記額縁遮光膜５３
に覆われるようにして設けられている。
【００４３】
また、ＴＦＴアレイ基板１０上には、対向基板２０の４つのコーナー部に対向する領域
に、両基板間を上下導通材１０７で接続するための上下導通端子１０６が配置されている
。これらにより、ＴＦＴアレイ基板１０と対向基板２０との間で電気的な導通をとること
ができる。
【００４４】
ＴＦＴアレイ基板１０上には、外部回接続端子１０２と、データ線駆動回路１０１、走
査線駆動回路１０４、上下導通端子１０６等とを電気的に接続するための引回配線９０が
形成されている。
【００４５】
図３において、ＴＦＴアレイ基板１０上には、画素スイッチング用のＴＦＴや走査線、
データ線等の配線が形成された後の画素電極９ａ上に、図示しない配向膜が形成されてい
る。他方、対向基板２０上には、対向電極２１の他、格子状又はストライプ状の遮光膜２
３、更には最上層部分に図示しない配向膜が形成されている。また、液晶層５０は、例え
ば一種又は数種類のネマティック液晶を混合した液晶からなり、これら一対の配向膜間で
、所定の配向状態をとる。
【００４６】
尚、図２及び図３に示したＴＦＴアレイ基板１０上には、これらのデータ線駆動回路１
０１、走査線駆動回路１０４等に加えて、複数のデータ線に所定電圧レベルのプリチャー
ジ信号を画像信号に先行して各々供給するプリチャージ回路、製造途中や出荷時の当該電
気光学装置の品質、欠陥等を検査するための検査回路等を形成してもよい。
【００４７】
次に、図４を参照して、以上の如く構成された液晶パネルにおける回路構成及び動作に
ついて説明する。図４は、液晶パネル５００の画素領域を構成するマトリクス状に形成さ
れた複数の画素における各種素子、配線等の等価回路図である。
【００４８】
図４において、液晶パネル５００の画素領域１０ａを構成するマトリクス状に形成され
た複数の画素には夫々、画素電極９ａと当該画素電極９ａに印加される電圧をスイッチン
グ制御するためのＴＦＴ３０とが形成されており、画像信号が供給されるデータ線６ａが
当該ＴＦＴ３０のソースに電気的に接続されている。データ線６ａに書き込む画像信号Ｓ
１、Ｓ２、・・・、Ｓｎは、この順に線順次に供給しても構わないし、相隣接する複数の
データ線６ａ同士に対して、グループ毎に供給するようにしてもよい。
【００４９】
また、ＴＦＴ３０のゲートにゲート電極３ａが電気的に接続されており、所定のタイミ
ングで、走査線１１ａ及びゲート電極３ａにパルス的に走査信号Ｇ１、Ｇ２、・・・、Ｇ
ｍを、この順に線順次で印加するように構成されている。画素電極９ａは、ＴＦＴ３０の
ドレインに電気的に接続されており、スイッチング素子であるＴＦＴ３０を一定期間だけ
そのスイッチを閉じることにより、データ線６ａから供給される画像信号Ｓ１、Ｓ２、・
・・、Ｓｎを所定のタイミングで書き込む。
【００５０】
画素電極９ａを介して電気光学物質の一例としての液晶に書き込まれた所定レベルの画
像信号Ｓ１、Ｓ２、・・・、Ｓｎは、対向基板２０に形成された対向電極２１との間で一
定期間保持される。液晶は、印加される電圧レベルにより分子集合の配向や秩序が変化す
ることにより、光を変調し、階調表示を可能とする。ノーマリーホワイトモードであれば
、各画素の単位で印加された電圧に応じて入射光に対する透過率が減少し、ノーマリーブ
ラックモードであれば、各画素の単位で印加された電圧に応じて入射光に対する透過率が
増加され、全体として電気光学装置からは画像信号に応じたコントラストをもつ光が出射
する。
【００５１】
ここで保持された画像信号がリークするのを防ぐために、画素電極９ａと対向電極２１
との間に形成される液晶容量と並列に蓄積容量７０を付加する。この蓄積容量７０は、走
査線１１ａに並んで設けられ、固定電位側容量電極を含むとともに定電位に固定された容
量電極３００を含んでいる。
【００５２】
（液晶ライトバルブの構成）
次に、図５乃至図８を参照しながら、液晶パネル５００を実装ケース６０１に収納して
なる液晶ライトバルブ１００Ｇの具体的構成を説明する。尚、本実施形態では、本発明の
第１の発明に係る「緑色用電気光学パネルモジュール」の一例である液晶ライトバルブ１
００Ｇが、後述する取り込み口７１０を備えている点で、本発明の第１の発明に係る「赤
色用電気光学パネルモジュール」及び「青色用電気光学パネルモジュール」の夫々一例で
ある液晶ライトバルブ１００Ｒ及び１００Ｂと相違する。したがって、本実施形態では、
液晶ライトバルブ１００Ｇを主に詳細に説明し、液晶ライトバルブ１００Ｒ及び１００Ｂ
の具体的な構成の説明を省略する。
【００５３】
図５は、液晶ライトバルブ１００Ｇが備える実装ケース６０１を液晶パネル５００とと
もに示す分解斜視図である。図６は、液晶ライトバルブ１００Ｇの平面図である。図７は
、図６の矢印Ｘの方向から見た液晶ライトバルブ１００Ｇの側面図である。図８は、フレ
ーム６１０を当該フレーム６１０が液晶パネル５００に接する側の面から見た斜視図であ
る。
【００５４】
図５において、液晶パネル５００が備える外部回路接続端子１０２（図１参照）は、フ
レキシブルプリント配線板（以下、ＦＰＣと略称する）５０１に電気的に接続されている
。ＴＦＴアレイ基板１０及び対向基板２０の各々における液晶層５０を挟んで対向する面
とは反対側の面の夫々には、防塵用基板４００が設けられている。液晶パネル５００の外
表面には、反射防止板等の光学部材が付設されていてもよい。但し、偏光板や位相差板等
は、液晶パネル５００の外表面に付設されていてもよいし、液晶プロジェクタ１１００の
光学系の一部として設けられていてもよい。
【００５５】
図５に示すように、本発明の第１の発明に係る「第２ケース部」の一例である実装ケー
ス６０１は、液晶パネル５００を収容する、本発明の第１の発明に係る「フレーム部」の
一例であるフレーム６１０と、フレーム６１０に被さる、本発明の第１の発明に係る「カ
バー部」の一例であるカバー部材６２０とを備えて構成されている。カバー部材６２０は
、両側縁のフック６２７をフレーム６１０の側面に形成された爪部６１７に引っ掛けるこ
とによって、フレーム６１０と組み合せられている。
【００５６】
液晶パネル５００は、フレーム６１０に対向基板２０側が面する向きに収容され、ＴＦ
Ｔアレイ基板１０側の外表面をカバー部材６２０で覆われている。即ち、液晶ライトバル
ブ１００Ｇは、フレーム６１０の側から光が入射し、液晶パネル５００を透過して、カバ
ー部材６２０の側から出射するということを前提としている（図１において、ダイクロイ
ックプリズム１１１２には、フレーム６１０ではなくカバー部材６２０が対向しているこ
とになる）。液晶パネル５００は、その周縁部側からフレーム６１０によって包囲された
状態で、該フレーム６１０に接着剤によって接着されることによって固定されて、該フレ
ーム６１０内に収容される。よって、液晶パネル５００は、フレーム６１０によって、そ
の周縁部側から包囲される状態となる。尚、このように実装ケース６０１内に収容された
状態で、液晶パネル５００における、画素領域１０ａの周辺に位置する周辺領域は、フレ
ーム６１０によって覆われている。このため、フレーム６１０は、当該周辺領域における
光抜けを防止したり、或いは周辺領域から画素領域１０ａ内に迷光が進入するのを防止す
る遮光機能を有している。更に、接着剤としては、空気よりも熱伝導性に優れた接着剤が
用いられている。尚、接着剤は、後述する実装部よりも熱伝導性に優れた接着剤であるこ
とが好ましい。
【００５７】
カバー部材６２０は、開口部として窓部６２５が設けられた額縁状の本体と、本体の両
脇に、フック６２７とを備えている。窓部６２５は、液晶パネル５００の画素領域１０ａ
（図２参照）から射出される光を取り出すために、画素領域１０ａと対向するように開口
されている。
【００５８】
図６に示すように、フレーム６１０は、本体部６１３、実装部６１４、爪部６１７、及
び取り込み口７１０を備えて構成されている。
【００５９】
図６において、本体部６１３は、液晶パネル５００の形状に合わせ、言わば内側をくり
抜かれたように成形された窓部６１６を備えている。窓部６１６は、収容された液晶パネ
ル５００の画素領域１０ａ（図２参照）に光を透過させるために、画素領域１０ａと対向
するように開口されている。このため、図１に示した液晶プロジェクタ１１００内のラン
プユニット１１０２から発せられた光は、窓部６１６を通過して液晶パネル５００に入射
可能となる。
【００６０】
図６において、実装部６１４は、フレーム６１０の４隅に設けられており（図６中、右
上がり斜線部を参照）、実装部６１４の各々には取り付け穴６１５が設けられている。取
り付け穴６１５は、図１に示した如き液晶プロジェクタ１１００内に液晶ライトバルブ１
００Ｇを、取り付けする際に利用される。即ち、図７に示すように、液晶ライトバルブ１
００Ｇは、取り付け穴６１５を貫通するネジ７００を用いて液晶プロジェクタ１１００に
ネジ止めすることにより、液晶プロジェクタ１１００内に取り付けられる。よって、液晶
パネル５００を液晶プロジェクタ１１００内に安定して実装することができる。
【００６１】
従って、例えば光学的な基準位置となる取り付け位置に対する、画素領域１０ａの位置
ズレの発生を防止できる。更に、図６に示すように、本実施形態では、実装部６１４、言
い換えれば、取り付け穴６１５は、フレーム６１０の４隅に設けられることによって、４
点固定が実現されている。尚、液晶プロジェクタ１１００内に当該液晶ライトバルブ１０
０Ｇを固定するためには、少なくとも３つの取り付け穴が設けられるのが好ましい。
【００６２】
図５乃至図８において、フレーム６１０は、当該フレーム６１０の側面に開口する取り
込み口７１０を備えている。取りこみ口７１０は、フレーム６１０及びカバー部材６２０
を組み上げてなる実装ケース６０１内に収納された液晶パネル５００に冷却用流体を供給
するために設けられた穴部である。このような取り込み口７１０から取り込まれた冷却用
流体は、実装ケース６０１内の空間を流動し、液晶パネル５００から熱エネルギーを奪う
。より具体的には、図８において、取り込み口７１０をフレーム６１０の一の側面に設け
ることにとって、図中Ｙ方向に沿って実装ケース６０１内に冷却用流体が流動する流路の
開口部が形成される。実装ケース６０１内の流路を流動する冷却用流体は、液晶パネル５
００から熱エネルギーを奪う。
【００６３】
したがって、プロジェクタ１１００の動作時における液晶パネル５００の温度上昇が抑
制され、液晶ライトバルブ１００Ｇによって変調される緑色光の色むらに起因する表示む
らを低減できる。尚、液晶パネル５００を冷却する観点でみれば、取り込み口７１０のサ
イズは大きいほうが好ましい。このような取り込み口７１０によれば、実装ケース６０１
内に流動可能な冷却用流体の流量を増大させることができる。尚、取り込み口７１０から
実装ケース６１０内に取り込まれた冷却用流体は、実装ケース６０１及び当該実装ケース
６０１内に収納された液晶パネル５００間の隙間を流動し、液晶パネル５００から熱エネ
ルギーを奪い、実装ケース６０１外部に排出される。
【００６４】
本実施形態では、液晶ライトバルブ１００Ｇが備える実装ケース６０１にのみ取り込み
口７１０が設けられている場合を例に挙げているが、液晶ライトバルブ１００Ｂが備える
実装ケースにも冷却用流体を実装ケース内に取り込むための取り込み口が設けられていて
もよい。
【００６５】
液晶ライトバルブ１００Ｇにおいて、取り込み口７１０を介して実装ケース６０１に取
り込まれる冷却用流体は、水等の液体であってもよいし、空気等の気体であってもよい。
特に、冷却用流体として空気を用いた場合には、液体の冷却用流体を用いる場合に比べて
液晶パネル５００を冷却するために要するコストの増大を抑制できる。
【００６６】
一方、実装部６１４は、本体部６１３よりも強度の高い材料からなる。実装部６１４は
、本体部６１３とは異なる２種類の材料から形成されており、二色成形がなされることで
、一体成形されている。よって、実装部６１４は、本体部６１３よりも例えば曲げ強度、
せん断強度、圧縮強度等の機械的強度が高い。よって、実装部６１４に設けられた取り付
け穴６１５を用いてネジ止めする際に実装部６１４にネジ締めによる応力が加わることに
起因して、取り付け穴６１５の周辺に亀裂が入ってしまったり或いは割れてしまったりす
る等のように、液晶プロジェクタ１１００内に取り付ける際に実装部６１４が破壊されて
しまうことを低減或いは防止することができる。逆に言えば、ここでは、上述の機械的強
度としては、実装部６１４をプロジェクタの光学系に実装する際に、実装用のネジにより
締められることで圧縮されても破壊されないように、少なくとも圧縮強度は、ネジ締めの
際に受ける圧縮力に対して十分に高くしておく。尚、実装部６１４は、例えばＰＰＳ系の
樹脂に例えばグラスファイバやカーボン繊維等の繊維を添加したものを用いることで、強
度を高めることができる。
【００６７】
他方、本体部６１３は、例えばＰＰＳ系の樹脂に例えばカーボン粉末等の熱伝導性を高
める物質を添加したものを用いることができる。
【００６８】
また、図７に示すように、実装ケース６０１に収容された液晶パネル５００を含む液晶
ライトバルブ１００Ｇが液晶プロジェクタ１１００に実装された状態では、液晶パネル５
００が本体部６１３に接触している個所から、本体部６１３に伝導される。更に、このよ
うな熱は、液晶パネル５００及び本体部６１３間に介在する接着剤を介して伝導され、液
晶プロジェクタ１１００に逃がされる。このように、液晶パネル５００外部に逃がされる
熱エネルギーとしては、該本体部６１３を介して実装ケース６０１の外に放出されるもの
もある。
【００６９】
このように、本実施形態に係るプロジェクタ１１００が備える液晶ライトバルブ１００
Ｇによれば、プロジェクタ１１００の動作時において、液晶ライトバルブ１００Ｇが有す
る液晶パネル５００の温度上昇を抑制できる。加えて、３枚の液晶ライトバルブ１００全
ての実装ケースの放熱特性が高まるように３枚の液晶ライトバルブの夫々の実装ケースの
形状を変更する場合に比べて、コストの増大を低減できる。より具体的には、液晶ライト
バルブ１００Ｒ、１００Ｇ及び１００Ｂのうち色むらが発生し易い液晶ライトバルブ１０
０Ｇを収納する実装ケース６０１の形状を他の液晶ライトバルブ１００と異ならせること
によって、コスト増大を抑制しつつ、スクリーンに表示される画像の色むらを低減でき、
表示画像の品位を高めることが可能である。
【００７０】
（変形例１）
次に、図９を参照しながら、本実施形態に係るプロジェクタ１１００が備える液晶ライ
トバルブ１００Ｇの変形例を説明する。図９は、本例に係るプロジェクタが備える液晶ラ
イトバルブ１００Ｇ１の平面図である。尚、以下では、上述した液晶ライトバルブ１００
Ｇと共通する部分に共通の参照符号を付し、詳細な説明を省略する。
【００７１】
図９において、液晶ライトバルブ１００Ｇ１は、実装ケース６０１に付設された放熱フ
ィン７２０を備えている点に特徴を有する。放熱フィン７２０によれば、液晶パネル５０
０から実装ケース６０１に伝達された熱エネルギーが、実装ケース６０１の表面及び放熱
フィン７２０の表面を介して放出されるため、放熱フィン７２０を設けない場合に比べて
液晶ライトバルブ１００Ｇが備える液晶パネル５００の温度上昇を抑制でき、プロジェク
タ１１００によって表示される画像の品位を高めることが可能である。
【００７２】
（変形例２）
次に、図１０を参照しながら、本実施形態に係るプロジェクタ１１００が備える液晶ラ
イトバルブ１００Ｇの変形例を説明する。図９は、本例に係るプロジェクタが備える液晶
ライトバルブ１００Ｇ２の側面図である。
【００７３】
図１０において、液晶ライトバルブ１００Ｇ２は、実装ケース６０１に側面に付設され
たペルチェ素子７３０を備えている。ペルチェ素子７３０は、電源Ｘ及びグランド（ＧＮ
Ｄ）に電気的に接続されており、電源Ｘ及びグランド（ＧＮＤ）の電位差に応じて、温度
が下がる。より具体的には、例えば、所定の電位差をペルチェ素子７３０に印加すること
によって、当該ペルチェ素子７３０の温度を−６０℃まで下げることが可能である。この
ようなペルチェ素子７３０によれば、当該ペルチェ素子７３０の温度低下に伴って、実装
ケース６０１内に収納された液晶パネル５００から熱エネルギーをペルチェ素子７３０に
伝達でき、液晶パネル５００の温度上昇を抑制できる。
【００７４】
（第２実施形態）
次に、本発明の第２の発明に係るプロジェクタの実施形態を説明する。本実施形態にか
かるプロジェクタは、第１実施形態のプロジェクタ１１００と同様の構成を有しており、
液晶ライトバルブ１００Ｇが備える実装ケース６０１を構成する材質が他の液晶ライトバ
ルブ１００Ｒ及び１００Ｂが備える実装ケースを構成する材質と異なっている点に特徴を
有する。したがって、本実施形態では、第１実施形態で参照した図５を参照する。
【００７５】
本実施形態では、図５に示したフレーム６１０及びカバー部材６２０の少なくとも一方
がアルミダイカスト等の金属材料で形成されており、他の液晶ライトバルブ１００Ｒ及び
１００Ｂの少なくとも一方が備える実装ケースが樹脂等で形成されている。液晶ライトバ
ルブ１００Ｇにおいて、フレーム６１０及びカバー部材６２０の少なくとも一方が金属材
料で形成されていることにより、樹脂等で実装ケース６０１を形成する場合に比べて、液
晶パネル５００から速やかにより多くの熱エネルギーを逃がすことができ、スクリーンに
表示される画像の表示むらを低減できる。
【００７６】
加えて、本実施形態では、３枚の液晶ライトバルブ全ての実装ケース６０１を金属材料
で形成する場合に比べて、プロジェクタ１１００に要するコストの増大分を抑制できる。
したがって、本実施形態によれば、コスト増大を極力抑制しつつ、プロジェクタ１１００
によって表示される画像の表示品位を高めることが可能である。
【００７７】
尚、液晶ライトバルブ１００Ｇが備える実装ケース６０１の形状及び材質の両方を、他
の液晶ライトバルブ１００Ｒ及び１００Ｂが備える実装ケースの形状及び材質と異ならせ
ておいてもよいし、これら実装ケースの形状及び材質を異ならせることに加えて、液晶ラ
イトバルブ１００Ｇが備える実装ケース６０１にペルチェ素子を付設しておいてもよい。
【図面の簡単な説明】
【００７８】
【図１】第１実施形態に係るプロジェクタの図式的断面図である。
【図２】第１実施形態における、ＴＦＴアレイ基板をその上に形成された各構成要素と共に対向基板の側から見た液晶パネルの平面図である。
【図３】図３は、図２のＨ−Ｈ´断面図である。
【図４】第１実施形態における、液晶パネルの画素領域を構成するマトリクス状に形成された複数の画素における各種素子、配線等の等価回路図である。
【図５】第１実施形態における、液晶ライトバルブが備える実装ケースを液晶パネルとともに示す分解斜視図である。
【図６】第１実施形態に係るプロジェクタが備える液晶ライトバルブに含まれるフレームの平面図である。
【図７】図６のＶＩＩ−ＶＩＩ´断面図である。
【図８】第１実施形態における、フレームを当該フレーム６１０が液晶パネル５００に接する側の面から見た斜視図である。
【図９】第１実施形態における、液晶ライトバルブの変形例（その１）の平面図である。
【図１０】第１実施形態における、液晶ライトバルブの変形例（その２）の側面図である。
【符号の説明】
【００７９】
９ａ・・・画素電極、１０・・・ＴＦＴアレイ基板、１０ａ・・・画素領域、１００Ｒ
、１００Ｇ、１００Ｂ・・・液晶ライトバルブ、５００・・・液晶パネル、６０１…実装
ケース、６１０…フレーム、６２０…カバー部材、６１３…本体部、６１４…実装部、６
１５…取り付け穴、１１００…液晶プロジェクタ
【図１】
2007304393.tif 000003
【図２】
2007304393.tif 000004
【図３】
2007304393.tif 000005
【図４】
2007304393.tif 000006
【図５】
2007304393.tif 000007
【図６】
2007304393.tif 000008
【図７】
2007304393.tif 000009
【図８】
2007304393.tif 000010
【図９】
2007304393.tif 000011
【図１０】
2007304393.tif 000012